(57)【要約】【課題】修理等の作業を容易にし、且つ電装部における電気配線の設置スペースを確保すること。【解決手段】画像形成装置の背面側に第一の電装部１０と第二の電装部２０を設置する。第一の電装部１０は第一の支軸１１を中心に回動可能であり、第二の電装部２０は第二の支軸２１を中心に回動可能である。また第一の電装部１０における第一の電気配線は第一の支軸を１１を経由して設置されており、第二の電装部２０における第二の電気配線は第二の支軸２１を経由して設置されている。【選択図】図４
2008102172.tif 000002
【特許請求の範囲】
【請求項１】
シートに画像を形成する画像形成装置であって、
装置本体の背面側に設置され、第一の支軸を中心に回動する第一の電装部と、
装置本体の背面側に設置され、第二の支軸を中心に回動する第二の電装部と、
前記第一の支軸を経由して設置され、前記第一の電装部と画像形成装置内の被接続部とを接続する第一の電気配線と、
前記第二の支軸を経由して設置され、前記第二の電装部と画像形成装置内の被接続部とを接続する第二の電気配線と、
を有することを特徴とする画像形成装置。
【請求項２】
前記第一の支軸と前記第二の支軸は相対する位置にあることを特徴とする請求項１に記載の画像形成装置。
【請求項３】
前記第一の支軸と前記第二の支軸は直行する位置にあることを特徴とする請求項１に記載の画像形成装置。
【請求項４】
前記第一の支軸と前記第二の支軸は画像形成装置の端部側にあることを特徴とする請求項１乃至３の何れか１項に記載の画像形成装置。
【請求項５】
前記第一の電装部と前記第二の電装部は画像形成装置の奥行き方向に重なっていることを特徴とする請求項１乃至４の何れか１項に記載の画像形成装置。
【発明の詳細な説明】
【技術分野】
【０００１】
本発明は、シートに画像を形成する画像形成装置に関するものである。
【背景技術】
【０００２】
複写機、プリンタ等の画像形成装置では、通常、ユーザーがアクセスしない背面側に電気回路基板等の電装部が設置されている。画像形成装置における電装部の設置方法は色々な方法が考えられるが、例えば電装部を複数のネジで装置本体の背面側に取り付ける方法が考えられる。また、特許文献１に記載されているように電装部をユニット化し、そのユニット（特許文献１においてコントローラボックスが該当する）の一端に支軸を設け、その支軸を中心に電装部が回動するように取り付ける方法も考えられる。
【特許文献１】特開２００５−２１５１９９号公報
【発明の開示】
【発明が解決しようとする課題】
【０００３】
ところで画像形成装置の駆動系などで故障が発生した場合、装置本体の背面側に設置された電装部を取り外して修理を行う場合がある。
【０００４】
その場合、電装部が複数のネジで装置本体の背面側に取り付けられている構造では、電装部における電気配線の接続を外し、電装部を固定しているネジを個々に取り外す必要があるため、作業が繁雑となる。
【０００５】
この点、特許文献１に記載されている技術では支軸を中心に電装部が回動する構造になっているため、電気配線の接続を外さず電装部を回動させて画像形成装置の駆動系などにアクセスすることができ、作業が繁雑とならない。
【０００６】
しかし、特許文献１に記載されている技術では以下のような問題がある。この点に関して図１３を用いて説明する。
【０００７】
図１３は特許文献１に記載された電装部（コントローラボックス）を簡略化して示した説明図である。１０００は電気回路基板が収容された電装部（コントローラボックス）であり、電装部１０００は支軸２０００を中心にＡ方向に回動可能である。電装部１０００における電気配線の接続を外さないで電装部１０００を回動させようとすると、図１３に示すように電気配線３０００を支軸２０００を経由して設置させる必要がある。しかし、電気配線３０００を支軸２０００を経由して設置させると、電気配線３０００を電装部１０００における支軸側の１辺に密集して設置させることになり、電気配線３０００の設置スペースに関して制約を受けたり、電気配線３０００の配置が難しかったりする。
【０００８】
従って、本発明の目的は、修理等の作業を容易にし、且つ電装部における電気配線の設置スペースを確保する画像形成装置を提供することにある。
【課題を解決するための手段】
【０００９】
上記目的を達成すべく、本発明に係る画像形成装置は、
シートに画像を形成する画像形成装置であって、
装置本体の背面側に設置され、第一の支軸を中心に回動する第一の電装部と、
装置本体の背面側に設置され、第二の支軸を中心に回動する第二の電装部と、
前記第一の支軸を経由して設置され、前記第一の電装部と画像形成装置内の被接続部とを接続する第一の電気配線と、
前記第二の支軸を経由して設置され、前記第二の電装部と画像形成装置内の被接続部とを接続する第二の電気配線と、
を有することを特徴とするものである。
【発明の効果】
【００１０】
本発明に係る画像形成装置によれば、修理等の作業を容易にし、且つ電装部における電気配線の設置スペースを確保することが出来る。
【発明を実施するための最良の形態】
【００１１】
図１は、画像形成装置の正面図である。
【００１２】
画像形成装置１は画像形成部Ａ１、原稿搬送部Ａ２、及び画像読取部Ａ３を有する。
【００１３】
画像形成部Ａ１において、ドラム状の感光体Ａ１０の周囲に帯電部Ａ２０、露光部Ａ３０、現像部Ａ４０、転写部Ａ５０、分離部Ａ６０及びクリーニング部Ａ７０が配置されており、帯電、露光、現像及び転写の各プロセスが実行され、シートＳ１にトナー像が形成される。トナー像が形成されたシートＳ１は定着部Ａ８０を通過して定着処理される。定着処理されたシートＳ１は、排紙ローラ７Ｂによって排出される。なお、本実施形態における画像形成装置１は電子写真方式によりシートにモノクロ画像を形成するものであるが、本発明に係る画像形成装置は本実施形態に限定されるものではなく、カラー画像形成装置であってもよいことは勿論のこと、その画像形成方式も電子写真方式以外のどのような画像形成方式であっても構わない。
〈第１の実施形態〉
まず本発明に係る第１の実施形態について説明する。
【００１４】
図２は、第１の実施形態に係る画像形成装置の背面図である。
【００１５】
画像形成装置１における背面パネル（図示せず）を外すと、図２で示すように装置本体の背面側に設置されている第一の電装部１０等の複数の電装部が現れる。図２における左側の電装部が第一の電装部１０であり、右側の電装部が第二の電装部２０である。第一の電装部１０と第二の電装部２０は、感光体Ａ１０等の動作を制御する電気回路基板や、帯電部Ａ２０等の電力を制御する高圧電源基板などが設置された電装ユニットである。図２では図示しないが、第一の電装部１０等と、感光体Ａ１０等の画像形成装置内の被接続部とは電気配線により接続されている。電気配線の詳しい構成は後ほど説明する。第一の電装部１０には複数の電気回路基板１００、１０１が設置されており、第二の電装部２０にも複数の電気回路基板２００、２０１が設置されている。
【００１６】
第一の電装部１０は破線で示す第一の支軸１１を中心に回動可能になっており、第二の電装部２０は破線で示す第二の支軸２１を中心に回動可能になっている。第一の電装部１０と第二の電装部２０は各々の上端部及び下端部において画像形成装置１に支持されている。第一の支軸１１、第二の支軸２１を中心に回動可能であればどのような支持方法であっても良い。
【００１７】
図３は第一の電装部１０と第二の電装部２０が回動されて画像形成装置の内部が開放された状態を示す説明図である。
【００１８】
図３で示すように、第一の電装部１０が第一の支軸１１を中心に回動され、第二の電装部２０が第二の支軸２１を中心に回動されると画像形成装置の内部が開放される。開放されると画像形成装置の駆動系である例えばフライホイール５００や駆動モータ６００、６０１にアクセスすることができ、駆動モータ６００等の修理作業が出来る。つまり画像形成装置の背面を覆っている第一の電装部１０や第二の電装部２０を取り外すことなく支軸を中心に回動させることが出来るため、駆動モータに対する修理等の作業が容易となる。また、第一の支軸１１と第二の支軸２１が画像形成装置１の端部側にあることにより画像形成装置の内部を大きく開放することができ、修理等の作業が容易となる。
【００１９】
また、第一の電装部１０と第二の電装部２０を回動させると、装置の奥側に設置された第三の電装部３０と第四の電装部４０が現れる。第一の電装部１０・第二の電装部２０と、第三の電装部３０・第四の電装部４０は画像形成装置の奥行き方向に重なっており、効率よく画像形成装置内に収容されている。第三の電装部３０は上端部に位置する第三の支軸３１を中心に回動可能になっており、第四の電装部４０も上端部に位置する第四の支軸４１を中心に回動可能になっている。
【００２０】
図４は第三の電装部３０と第四の電装部４０が回動されて画像形成装置の内部が開放された状態を示す説明図である。
【００２１】
図４で示すように、第三の電装部３０が第三の支軸３１を中心に上側へ回動され、第四の電装部４０が第四の支軸４１を中心に上側に回動されると、駆動モータ６００等の上側の部分が開放され、フライホール５０１や駆動モータ６０２にアクセスすることが出来る。つまり第三の電装部３０等を回動させることにより、画像形成装置の内部を更に大きく開放することが出来るため、駆動モータに対する修理等の作業が更に容易となる。
【００２２】
次に電装部における電気配線について説明する。
【００２３】
図５は、第一の電装部１０における電気配線１１０の説明図である。
【００２４】
図２〜図４で示した４つの電装部（第一の電装部１０〜第四の電装部４０）では電気配線の経路が各々同様の構成となっているため、第一の電装部１０を例として電気配線の経路を説明する。
【００２５】
第一の電気配線として機能する電気配線１１０の一端は電装部１０における電気回路基板１００に接続されており、もう一端は画像形成装置内の感光体ドラムＡ１０等の被接続部に接続されている。また、電気配線１１０は図５で示すように第一の支軸１１を経由して設置されている。このように電気配線１１０を第一の支軸１１を経由して設置することにより、電気配線１１０の接続を外すことなく第一の電装部１０を回動させることが出来る。その結果として画像形成装置における駆動系の修理を行う場合でも電気配線を外すことなく修理作業が可能となる。第二の電装部２０における電気配線（第二の電気配線）、第三の電装部３０における電気配線、第四の電装部４０における電気配線も電気配線１１０と同様に各々の支軸を経由して設置されている。よって第二の電装部２０〜第四の電装部４０も電気配線を外さず支軸を中心に回動させることが出来る。
【００２６】
図６は、電装部における電気配線の設置スペースを示す説明図である。
【００２７】
図６（ａ）は図１３に示すような１つの電装部を回動させる従来の構造を示し、図６（ｂ）は第一の電装部１０と第二の電装部２０を図２においてＡ方向から見た位置関係を示すものである。
【００２８】
図６（ａ）に示す電装部１０００は支軸２０００を中心に回動する（図１３参照）。電装部１０００における電気配線の接続を外すことなく電装部１０００を回動させようとすると、図１３で示すように支軸２０００を経由して電気配線を設置する必要がある。しかし、そのように設置しようとすると電気配線を電装部１０００における支軸側の１辺に密集して設置させることになる。つまり、図６（ａ）に示すＸという長さの範囲内で電気配線を設置しなければならない。
【００２９】
一方、図６（ｂ）に示すように画像形成装置が第一の電装部１０、第二の電装部２０の２つの電装部を有する場合、第一の電装部１０における電気配線は第一の支軸１１を経由して設置し、第二の電装部２０における電気配線は第二の支軸２１を経由して設置する。このようにすれば、各々の電気配線を外すことなく第一の電装部１０、第二の電装部２０を回動させることができる。つまり、電気配線の設置スペースを各々支軸側の１辺の長さずつ（図６（ｂ）であれば支軸側の１辺の長さはＸである）確保することができ、図６（ａ）で示す従来例と比較して電気配線を設置しやすくなる。なお、第一の支軸と第二の支軸は図６（ｂ）に記載した位置関係に限定されることがない。
【００３０】
また、第一の支軸１１と第二の支軸２１は相対する位置にあることが好ましい。このような位置関係であれば電気配線の設置スペースをより多く確保することができ、電気配線を更に設置しやすくなる。図６で説明すると、第一の支軸１１と第二の支軸２１が相対する位置にあるため、電気配線の設置スペースを実質「２Ｘ」の長さ分だけ確保することができ、電気配線を設置しやすい。
【００３１】
以上図２〜図６を用いて説明したように、第一の支軸１１を中心に回動する第一の電装部１０において電気配線（第一の電気配線）を第一の支軸１１を経由して設置し、第二の支軸２１を中心に回動する第二の電装部２０において電気配線（第二の電気配線）を第二の支軸２１を経由して設置することにより、修理等の作業を容易にし、且つ電装部における電気配線の設置スペースを確保することが出来る。
〈第２の実施形態〉
次に第１の実施形態と異なる第２の実施形態について説明する。
【００３２】
図７は、第２の実施形態に係る画像形成装置の背面図である。
【００３３】
画像形成装置１における背面パネル（図示せず）を外すと、図７で示すように装置本体の背面側に設置されている第一の電装部５０と第二の電装部６０が現れる。第一の電装部５０と第二の電装部６０は第１の実施形態に記載された第一の電装部１０等よりも大きいユニットとなっており、多くの電子回路基板等が設置可能である。また、両電装部は画像形成装置の奥行き方向に重なっており、効率よく画像形成装置内に収容されている。
【００３４】
第一の電装部５０は破線で示す第一の支軸５１を中心に回動可能になっており、第二の電装部６０は破線で示す第二の支軸６１を中心に回動可能になっている。
【００３５】
図８は、第一の電装部５０と第二の電装部６０が回動されて画像形成装置の内部が開放された状態を示す説明図である。
【００３６】
図８で示すように、第一の電装部５０が第一の支軸５１を中心に回動され、第二の電装部６０が第二の支軸６１を中心に回動されると画像形成装置の内部が開放される。開放されると画像形成装置の駆動系である例えばフライホイール５０２や駆動モータ６０３、６０４が現れ、駆動モータ６０３等の修理作業が出来る。つまり第１の実施形態と同様に画像形成装置の背面を覆っている第一の電装部５０や第二の電装部６０を取り外すことなく支軸を中心に回動させることが出来るため、駆動モータに対する修理等の作業が容易となる。また、第１の実施形態と同様に第一の支軸５１と第二の支軸６１が画像形成装置１の端部側にあることで画像形成装置の内部を大きく開放することができ、修理等の作業が容易となる。
【００３７】
図９は、電装部における電気配線の設置スペースを示す説明図である。
【００３８】
図９（ａ）は図１３に示すような１つの電装部を回動させる従来の構造を示し、図９（ｂ）は第一の電装部５０と第二の電装部６０を図７においてＡ方向から見た位置関係を示すものである。なお、図９（ｂ）では第一の電装部５０と第二の電装部６０の位置関係を分かりやすくするため、一点鎖線で示す第二の電装部６０を若干下にずらして表示する。
【００３９】
図９（ｂ）に示すような構造でも図６（ｂ）に示す構造と同じように、第一の電装部５０における電気配線は第一の支軸５１を経由して設置し、第二の電装部６０における電気配線は第二の支軸６１を経由して設置する。このようにすれば、各々の電気配線を外すことなく第一の電装部５０、第二の電装部６０を回動させることができる。つまり、電気配線の設置スペースを各々支軸側の１辺の長さずつ（図９（ｂ）であれば支軸側の１辺の長さはＸである）確保することができ、図９（ａ）で示す従来例と比較して電気配線を設置しやすくなる。
【００４０】
以上第２の実施形態を図７〜図９を用いて説明したが、第一の支軸５１を中心に回動する第一の電装部５０において電気配線（第一の電気配線）を第一の支軸５１を経由して設置し、第二の支軸６１を中心に回動する第二の電装部６０において電気配線（第二の電気配線）を第二の支軸６１を経由して設置することにより、修理等の作業を容易にし、且つ電装部における電気配線の設置スペースを確保することが出来る。
〈第３の実施形態〉
次に第１の実施形態及び第２の実施形態と異なる第３の実施形態について説明する。
【００４１】
図１０は、第３の実施形態に係る画像形成装置の背面図である。
【００４２】
画像形成装置１における背面パネル（図示せず）を外すと、図１０で示すように装置本体の背面側に設置されている第一の電装部７０と第二の電装部８０が現れる。第一の電装部７０は支軸７１を中心として回動可能であり、第二の電装部８０は第二の支軸８１を中心として回動可能である。つまり、第３の実施形態における第一の支軸７１と第二の支軸８１は、第１、第２の実施形態と異なり、直行する位置にある。
【００４３】
図１１は、第一の電装部７０と第二の電装部８０が回動されて画像形成装置の内部が開放された状態を示す説明図である。
【００４４】
図１１で示すように、第一の電装部７０が第一の支軸７１を中心に縦方向に回動され、第二の電装部８０が第二の支軸８１を中心に横方向に回動されると画像形成装置の内部が開放される。開放されると画像形成装置の駆動系である例えばフライホイール５０３、５０４、５０５や駆動モータ６０５、６０６が現れ、駆動系の修理作業が出来る。つまり第１、第２の実施形態と同様に画像形成装置の背面を覆っている第一の電装部７０や第二の電装部８０を取り外すことなく支軸を中心に回動させることが出来るため、駆動モータに対する修理等の作業が容易となる。
【００４５】
図１２は、電装部における電気配線の設置スペースを示す説明図である。
【００４６】
図１２（ａ）は図１３に示すような１つの電装部を回動させる従来の構造を示し、図１２（ｂ）は第一の電装部７０と第二の電装部８０を図１０においてＡ方向から見た位置関係を示すものである。
【００４７】
図１２（ｂ）に示すような構造でも、第一の電装部７０における電気配線は第一の支軸７１を経由して設置し、第二の電装部８０における電気配線は第二の支軸８１を経由して設置する。このようにすれば、各々の電気配線を外すことなく第一の電装部７０、第二の電装部８０を回動させることができる。つまり、電気配線の設置スペースを各々支軸側の１辺の長さずつ（図１２（ｂ）であれば第一の電装部７０における支軸側の１辺の長さはＹであり、第二の電装部８０における支軸側の１辺の長さはＸである）確保することができ、図１２（ａ）で示す従来例と比較して電気配線を設置しやすくなる。第一の支軸７１と第二の支軸８１が直行する位置にあっても第１、第２の実施形態と同様に電気配線の設置スペースを多く確保することが出来る
以上第３の実施形態を図１０〜図１２を用いて説明したが、第一の支軸７１を中心に回動する第一の電装部７０において電気配線（第一の電気配線）を第一の支軸７１を経由して設置し、第二の支軸８１を中心に回動する第二の電装部８０において電気配線（第二の電気配線）を第二の支軸８１を経由して設置することにより、修理等の作業を容易にし、且つ電装部における電気配線の設置スペースを確保することが出来る。
【００４８】
なお、本発明は当該実施の形態に限定されるものではなく、本発明の要旨を逸脱しない範囲における変更や追加があっても本発明に含まれる。
【図面の簡単な説明】
【００４９】
【図１】本発明に係る画像形成装置の正面図である。
【図２】第１の実施形態に係る画像形成装置の背面図である。
【図３】第一の電装部１０と第二の電装部２０が回動されて画像形成装置の内部が開放された状態を示す説明図である。
【図４】第三の電装部３０と第四の電装部４０が回動されて画像形成装置の内部が開放された状態を示す説明図である。
【図５】第一の電装部１０における電気配線１１０の説明図である。
【図６】電装部における電気配線の設置スペースを示す説明図である。
【図７】第２の実施形態に係る画像形成装置の背面図である。
【図８】第一の電装部５０と第二の電装部６０が回動されて画像形成装置の内部が開放された状態を示す説明図である。
【図９】電装部における電気配線の設置スペースを示す説明図である。
【図１０】第３の実施形態に係る画像形成装置の背面図である。
【図１１】第一の電装部７０と第二の電装部８０が回動されて画像形成装置の内部が開放された状態を示す説明図である。
【図１２】電装部における電気配線の設置スペースを示す説明図である。
【図１３】従来の電装部（コントローラボックス）を簡略化して示した説明図である。
【符号の説明】
【００５０】
１  画像形成装置
１０、５０、７０  第一の電装部
２０、６０、８０  第二の電装部
１１、５１、７１  第一の支軸
２１、６１、８１  第二の支軸
１００、１０１、２００、２０１  電気回路基板
１１０  電気配線
５００、５０１、５０２、５０３、５０４、５０５  フライホイール
６００、６０１、６０２、６０３、６０４、６０５、６０６  駆動モータ
【図１】
2008102172.tif 000003
【図２】
2008102172.tif 000004
【図３】
2008102172.tif 000005
【図４】
2008102172.tif 000006
【図５】
2008102172.tif 000007
【図６】
2008102172.tif 000008
【図７】
2008102172.tif 000009
【図８】
2008102172.tif 000010
【図９】
2008102172.tif 000011
【図１０】
2008102172.tif 000012
【図１１】
2008102172.tif 000013
【図１２】
2008102172.tif 000014
【図１３】
2008102172.tif 000015